(57)【要約】【課題】  スノーボードの愛好者が増加した結果、スキー板よりも嵩張るスノーボードがラックなどに収まらず周囲に氾濫するという状況を解決するために、省スペースで効率的な支持装置を提供する。【解決手段】  左右に離間させた一対の支柱４ａ、４ｂとこれら支柱の間に間隔を置いて架け渡した横フレーム５ａ、５ｂを備えたベース脚７ａ、７ｂにより自立する方形枠状のフレーム５と、上記の支柱４に上下に間隔を置いて櫛歯状に並設された複数の保持片９によりスノーボードラック１は構成され、対応する左右の保持片９によってスノーボードＳが滑走面を斜め下に向けて保持され、スノーボードＳの裏面のエッジ部分が隠れて外に現れない構造となっている。【選択図】        図１
0003122908.tif 000002
【実用新案登録請求の範囲】
【請求項１】
左右に離間した一対の支柱４と、これら支柱４の間に間隔を置いて架け渡した複数の横フレーム５ａ、５ｂを備え、ベース脚７により自立する方形枠状のフレーム５と、上記支柱４のそれぞれに上下に間隔を置いて櫛歯状に並設された複数の保持片９により構成され、対応する左右の保持片９によってスノーボードＳが保持されるように構成されていることを特徴とするスノーボードラック１。
【請求項２】
保持片９が支柱４から斜め下方へ傾斜して設置され、保持片９の先端上部に滑り落ち止めの上向きの爪１０が配設されていることを特徴とする請求項１に記載のスノーボードラック１。
【請求項３】
方形枠状のフレーム５は横フレーム５ａ、５ｂの間に支柱４以外に縦フレーム６ａ、６ｂが設置されていることを特徴とする請求項１または２に記載のスノーボードラック１。
【請求項４】
支柱４に設置される保持片９は自立する方形枠状のフレーム５の前後両面に設置されていることを特徴とする請求項１〜３のいずれか１項に記載のスノーボードラック１。
【請求項５】
１つの支柱４に設置される櫛歯状の保持片９は平面板状に一体成型され、支柱４に固定されていることを特徴とする請求項１〜４のいずれか１項に記載のスノーボードラック１。
【考案の詳細な説明】
【技術分野】
【０００１】
本考案はスノーボードを保管、あるいは展示するための支持装置に関するものである。すなわち、スノーボードをスキー場のチケット売り場前やスキー場のセンター前など、あるいは、その他スキー場周辺のヒュッテやホテルやレストランなどに設置し、スノーボードを預かったり、貸し出したり、あるいは、販売するために載置するスノーボードラックに関し、特に、スノーボードを疵つけることのないように、各１台ずつを離間して横置きしながら多数のスノーボードを縦方向に多段に搭載することができる組立式のスノーボードラックに関する。
【背景技術】
【０００２】
スキー場のゲレンデ内のレストランやチケット売り場の前などでは、スキー板やストック、あるいはスノーボード等を立掛けておくラックなどが設置されている。
ところで、スノーボードはスキー板とは形状が異なるため、休憩時における盗難を防止するために、施錠状態でスノーボードを保管できるラックも考案されている。
しかし、これらはスノーボードを立てて保管するタイプで、保管できるスノーボードの数としては幅１ｍ当たり３〜５台が限度である。
【０００３】
【特許文献１】特許番号第２９５５２１６号
【特許文献２】特許番号第３２８６４７６号
【特許文献３】実用新案登録第１１９１０５号
【考案の開示】
【考案が解決しようとする課題】
【０００４】
本考案の解決しようとする課題は、スノーボードの愛好者が増加した結果、スキー板よりも嵩張るスノーボードが収納用のラックなどに収まらず周囲に氾濫しているという状況を解決するために、省スペースで効率的な支持装置を提供することにある。
【課題を解決するための手段】
【０００５】
上記の課題を解決するための本考案の手段は、請求項１の手段では、左右に離間させた一対の支柱４とこれら支柱４の間に間隔を置いて架け渡した複数の横フレーム５ａを備え、ベース脚７により自立する方形枠状のフレーム５と、上記支柱４のそれぞれに上下に間隔を置いて櫛歯状に並設された複数の保持片９により構成され、対応する左右の保持片９によってスノーボードＳが保持されるように構成されていることを特徴とするスノーボードラック１である。
【０００６】
請求項２の手段では、保持片９が支柱４から斜め下方へ傾斜して設置され、保持片９の先端上部に滑り落ち止めの上向きの爪１０が配設されていることを特徴とする請求項１の手段のスノーボードラック１である。
【０００７】
請求項３の手段では、方形枠状のフレーム５は横フレーム５ａの間に支柱４以外に縦フレーム６が設置されていることを特徴とする請求項１または２に記載の手段のスノーボードラック１である。盗難防止のためのワイヤー錠ＷをスノーボードＳのビンディングＢに通して一端をこの縦フレーム６に係止する。
【０００８】
請求項４の手段では、さらにスノーボードＳの収納量を増やすため、支柱４に設置される保持片９は自立する方形枠状のフレーム５の前後両面に設置されていることを特徴とする請求項１〜３のいずれか１項の手段のスノーボードラック１である。
【０００９】
請求項５の手段では、１つの支柱４に設置される櫛歯状の保持片９を前後両側に配設して平面板状の保持片一体板８に一体化して支柱４に固定していることを特徴とする請求項１〜４のいずれか１項の手段のスノーボードラック１である。
【００１０】
上記の手段のスノーボードラック１を使用する際には、スノーボードＳの滑走面を下にして左右の保持片９の間に跨るように手前から差し込み載せる。引き出す際は手前を軽く持ち上げて引き出す。必要に応じて請求項３に示した縦フレーム６にワイヤー錠Ｗを絡ませて盗難防止を図って使用する。
【００１１】
スノーボードラック１のベース脚７の下面にキャスター１２を設置することにより、可動式のスノーボードラック１となり、適宜に必要な箇所へ移動して容易に設置できる。
【００１２】
したがって、ゲレンデで使用するだけでなく、スノーボードＳを販売する店舗における商品展示や保管用のラックとしても適している。
【００１３】
この考案のスノーボードラック１は保持片一体板８を支持する支柱４が上下のユニットに分けた組み立て式としているので、スノーボードＳを係止しない季節外の場合や、搬送する際などには、高さを半分とし、さらに保持片一体板８を係止しているネジを外すことで場所をとることなく保管することが容易にできる。
【考案の効果】
【００１４】
本考案の手段は、保持片が上下に間隔を置いて櫛歯状に並設され、左右の支柱の対応する保持片によってスノーボードが保持されるように構成されるスノーボードラックであるため、同じ占有面積であっても設置する保持片の数を増やすことにより収納数を増やすことができる。例えば１ｍ程度の幅、２ｍ程度の高さのスノーボードラックにおいては片側に１０台ものスノーボードを保管でき、前後に保持片を設置するとき２０台のスノーボードを保管することができ、従来の保管台数が１ｍの幅当たり３〜５台であることと比較して本願のスノーボードラックは小面積であるにもかかわらす、大幅に数量を増加して収納できる。
【００１５】
さらに請求項２の手段のように、斜めに保持片を設置することにより、スノーボードのエッジ部分が下方内側向きに隠れる仕組みになっており、取り扱う際に手や他の器具がエッジ部分と接触する事態が起きにくく、エッジで怪我をしたりあるいはエッジを疵つけたりすることをなくしている。
【００１６】
請求項３の手段では、支柱以外に横フレームの間に縦フレームを配設することにより、盗難防止のためのワイヤー錠を用いてスノーボードのビンディングとこの縦フレームとを係止することができ、安全に保管することができる。
【００１７】
請求項４の手段では、支柱に設置する櫛歯状の多数の保持片を平面板状の一体とすることで多数のスノーボードを効率よく収納できる。
【００１８】
さらにスノーボードラックは自立できるタイプであるため、その設置場所を屋内、屋外を問わず、雪上とすることもできる。さらに、スノーボードラックにキャスターを配設すれば、移動させることも容易にできる。
【００１９】
さらに請求項５の手段では、保持片は一体坂からなるので、強度的に剛性が高まり、組立ても短時間で効率よくでき、ユニットに分けることで組み立てが容易となる。
【考案を実施するための最良の形態】
【００２０】
以下、本考案の実施の形態を添付の図面を参照して説明する。
図１は本考案に係るスノーボードラック１を示す全体構成を示す斜視図である。図２は実施形態に係るスノーボードラック１の正面から見た立面図である。図３は実施形態に係るスノーボードラック１の側面から見た立面図である。図４の（ａ）は保持片９にスノーボードＳを収納した状態を模式的に示すスノーボードラック１の側面図の一部で、（ｂ）は（ａ）の保持片９の先端部を拡大して示す図である。図５は縦フレームを利用してワイヤー錠を用いて施錠した状態を模式的に示す斜視図である。
【００２１】
図２に示すように、スノーボードラック１は、下部ユニット２、上部ユニット３に分けられて組み立てられている。先ず、下部ユニット２について説明すると、左右に離間した一対の支柱４ａ、４ｂを有する。これらの支柱４ａ、４ｂの間に間隔を置いて架け渡した上下の横フレーム５ａ、５ｂと左右の縦フレーム６ａ、６ｂを備え、これらの横フレーム５ａ、５ｂと左右の縦フレーム６ａ、６ｂから左右のベース脚７ａ、７ｂにより自立する方形枠状のフレーム５を形成している。さらに、左右の支柱４ａ、４ｂの側部には複数の保持片９を上下に間隔を空けて櫛歯状に並設された左右の保持片一体板８ａ、８ｂがネジ締めして取り付けられている。この左側の保持片一体板８ａは左側の支柱４ａに横フレーム５ａに対し垂直になるように設置され、同様に右側の保持片一体板８ｂは右側の支柱４ｂに横フレーム５ａに対し垂直になるように設置されている。
【００２２】
上下の横フレーム５ａ、５ｂの間に縦フレーム６ａ、６ｂが設置され、これらは横フレーム５ａと５ｂに上下両端を固着されている。さらに左右の支柱４ａ、４ｂと前後に延びる左右のベース脚７ａ、７ｂの接合部には、それぞれその前後に左側の補強板１１ａ、１１ａと、右側の補強板１１ｂ、１１ｂが設置されて補強されている。さらに、左右のベース脚７ａ、７ｂには、それぞれキャスター１２ａ、１２ａ、１２ｂ、１２ｂが必要により適宜設置されて可動とされている。左のキャスター１２ａにはストッパー１２ｃが設けられ、キャスター１２ａの転動を阻止可能とされている。上記の保持片一体板８を構成する保持片９は支柱４への取り付け箇所から斜め下方に水平から約２０°下方に傾斜して前後方向に形成されている。したがって、図４の（ｂ）に示すように、保持片９に載置したスノーボードＳの下面の端部のエッジＥの方向は垂直下方から２０°内側へ向けて載置される。さらに保持片９の先端には、スノーボードＳが保持片９から滑り落ちないようにするために、それぞれの保持片９の先端に上向きとした爪１０が形成されて配置されている。
【００２３】
次いで、上部ユニット３について説明する。上部ユニット３には、下部ユニット２が有するベース脚７、補強板１１、キャスター１２は設置されていない。しかし、下部ユニット２と接合するのために、上部ユニット３の支柱４の下端内部に嵌合部材が設けられ、この嵌合部材の先端部が下方に突出されている。この上部ユニット３の支柱４の先端から突出した先端部が下部ユニット２の支柱４の上端内に挿通されて下部ユニット２に接合されている。上部ユニット３は左右の支柱４ａ、４ｂを有し、これらの支柱４ａ、４ｂに複数の保持片９を上下に間隔を空けて櫛歯状に並設され左右の保持片一体板８ａ、８ｂが取り付けられている。上下の横フレーム５ａ、５ｂの間には横フレーム５ａと５ｂに上下両端を固着した縦フレーム６ａ、６ｂが設置されている。
【００２４】
上記の支柱４と上記の方形枠状のフレーム５の素材は鉄フレームからなり防食塗装を施してある。上記の保持片一体板８の素材は耐候性の合板などで厚さ１０ｍｍの素材から形成されている。
【００２５】
このスノーボードラック１の寸法について例示する。キャスター１２を除いたベース脚７から上部の保持片一体板８ａの上端までの高さは２０７８．２ｍｍで、ベース脚７の前後の長さは９００．０ｍｍで、左右の幅は９３６．０ｍｍである。下部ユニット２の一体板保持片８の最下段の保持片９の爪１０の立ち上がり部分までのベース脚７の下面からの高さは３２６．７ｍｍである。一体板保持片８の２０°下方に傾斜した保持片９とその上の保持片９との間にスノーボードＳを載置するための間隔は１７０．０ｍｍである。
【００２６】
このスノーボードラック１の使用にあたって、スノーボードＳを収納する場合は、スノーボードＳの滑走面を下にして手前から斜め上に押し上げ、左右の保持片９ａ、９ｂの間に跨がるように差し込み、滑り落ち止めの爪１０にスノーボードＳの手前の側端を係止して保持する。図５に示すように、必要に応じて縦フレーム６にワイヤー錠Ｗを絡ませ、そのワイヤーをスノーボードＳのビンディングＢに通して施錠して係止して盗難を防止する。スノーボードラック１からスノーボードＳを取り出すときは、ワイヤー錠Ｗの施錠を外してスノーボードＳを僅か手前に持ち上げて爪１０の係合を外してから引き出す。なお、スノーボードラック１は移動させる必要のない場合は、上記のキャスター１２を配設しなくてもよい。
【図面の簡単な説明】
【００２７】
【図１】実施の形態に係るスノーボードラックを示す全体構成を示す斜視図である。
【図２】実施形態に係るスノーボードラックの正面から見た立面図である。
【図３】実施形態に係るスノーボードラックの側面から見た立面図である。
【図４】（ａ）は保持片にスノーボードを収納した状態を模式的に示すスノーボードラックの側面図の一部で、（ｂ）は（ａ）の保持片先端部を拡大して示す図である。
【図５】縦フレームを利用してワイヤー錠を用いて施錠した状態を模式的に示す斜視図である。
【符号の説明】
【００２８】
１  スノーボードラック
２  下部ユニット
３  上部ユニット
４  支柱
４ａ  支柱
４ｂ  支柱
５  方形枠状のフレーム
５ａ  横フレーム
５ｂ  横フレーム
６    縦フレーム
６ａ  縦フレーム
６ｂ  縦フレーム
７  ベース脚
７ａ  ベース脚
７ｂ  ベース脚
８  保持片一体板
８ａ  保持片一体板
８ｂ  保持片一体板
９  保持片
９ａ  保持片
９ｂ  保持片
１０  爪
１１  補強板
１１ａ  補強板
１１ｂ  補強板
１２  キャスター
１２ａ  キャスター
１２ｂ  キャスター
１２ｃ  ストッパー
Ｓ  スノーボード
Ｂ  ビンディング
Ｗ  ワイヤー錠
Ｖ  垂直方向
Ｅ  エッジの方向
【図１】
0003122908.tif 000003
【図２】
0003122908.tif 000004
【図３】
0003122908.tif 000005
【図４】
0003122908.tif 000006
【図５】
0003122908.tif 000007